(57)【特許請求の範囲】
【請求項１】
コーナー部に向けてそれぞれに配される笠木の対向側端部を覆うように配される笠木カバー部材であって、
前記笠木の各対向側端部の見込方向中央側部位の表面を覆うように配される表面カバー部を有した中央側カバーと、この中央側カバーの表面カバー部を覆うように配される表面カバー部、前記笠木の各対向側端部の見付面を覆うように配される見付面カバー部及び前記笠木の各対向側端部の裏面を覆うように配される裏面カバー部をそれぞれに有した一対の端部カバーと、を備えており、
前記中央側カバー及び前記一対の端部カバーのそれぞれには、前記笠木の対向側端面間に挿入される挿入部が設けられ、かつ、これら中央側カバーの挿入部と一対の端部カバーの挿入部とは、互いに見込方向に係合する構造とされていることを特徴とする笠木カバー部材。
【請求項２】
請求項１において、
前記中央側カバーの挿入部及び前記一対の端部カバーの挿入部のうちの一方の挿入部は、板状とされた他方の挿入部を受け入れ可能なように見込方向に開口する係合凹所を設けた構造とされていることを特徴とする笠木カバー部材。
【請求項３】
請求項１または２において、
前記中央側カバーの挿入部及び前記一対の端部カバーの挿入部には、互いに係合した状態で、互いに係止し見込方向への位置ずれを抑制する係止部が設けられていることを特徴とする笠木カバー部材。
【発明の詳細な説明】
【技術分野】
【０００１】
本発明は、笠木の端部を覆う笠木カバー部材に関する。
【背景技術】
【０００２】
従来より、階段の壁部や吹き抜けの腰壁部等の上端部等に配される笠木が知られている。このような笠木は、壁部の端部に沿って水平状や傾斜状、垂直状に配されるが、壁部のコーナー部に向けてそれぞれに配された笠木の端面同士を突き合わせるようにして施工される構成とされていた。このような施工態様では、加工誤差や施工誤差、施工後の変形等によって笠木の端面間に隙間や段差が生じ易くなるという問題があった。
例えば、下記特許文献１には、笠木の接続端部の上端縁部を覆う上カバー片及び側端縁部を覆う一対の側カバー片を有した笠木カバーと、笠木の接続端部の裏面端縁部を覆うちり隠し部材と、が開示されている。
また、下記特許文献２では、２つの笠木を接続するために用いられる笠木接続部分カバー材が提案されている。このカバー材は、笠木の各木口面の目視可能な部分を覆う傘状の被覆部を有した固定本体と、この固定本体の両側端部のそれぞれに接続長さを可変して接続され、笠木の各木口面の目視可能な部分の残りの範囲を覆う一対の側方蓋部と、を備えた構成とされている。
【先行技術文献】
【特許文献】
【０００３】
【特許文献１】特開２００９−２３５７０９号公報
【特許文献２】特開２００７−２２４５４１号公報
【発明の概要】
【発明が解決しようとする課題】
【０００４】
しかしながら、上記特許文献１に記載された笠木カバーは、異なる見込寸法の笠木には適用し難く、更なる改善が望まれる。また、ちり隠し部材を笠木の裏面側から固定する必要があり、施工性の観点からも更なる改善が望まれる。
また、上記特許文献２に記載されたカバー材は、笠木の幅（見込寸法）に応じてサイズを変えて使用できるものではあるが、固定本体や笠木に対する一対の側方蓋部の取付性の観点からは更なる改善が望まれる。
【０００５】
本発明は、上記実情に鑑みてなされたものであり、コーナー部に向けてそれぞれに配される笠木の対向側端部を見栄え良く納めることが可能でありながらも、種々の見込寸法の笠木に適用し得、かつ取付性を向上し得る笠木カバー部材を提供することを目的としている。
【課題を解決するための手段】
【０００６】
前記目的を達成するために、本発明に係る笠木カバー部材は、コーナー部に向けてそれぞれに配される笠木の対向側端部を覆うように配される笠木カバー部材であって、前記笠木の各対向側端部の見込方向中央側部位の表面を覆うように配される表面カバー部を有した中央側カバーと、この中央側カバーの表面カバー部を覆うように配される表面カバー部、前記笠木の各対向側端部の見付面を覆うように配される見付面カバー部及び前記笠木の各対向側端部の裏面を覆うように配される裏面カバー部をそれぞれに有した一対の端部カバーと、を備えており、前記中央側カバー及び前記一対の端部カバーのそれぞれには、前記笠木の対向側端面間に挿入される挿入部が設けられ、かつ、これら中央側カバーの挿入部と一対の端部カバーの挿入部とは、互いに見込方向に係合する構造とされていることを特徴とする。
【発明の効果】
【０００７】
本発明に係る笠木カバー部材は、上述のような構成としたことで、コーナー部に向けてそれぞれに配される笠木の対向側端部を見栄え良く納めることが可能でありながらも、種々の見込寸法の笠木に適用することができ、また、取付性を向上させることができる。
【図面の簡単な説明】
【０００８】
【図１】（ａ）〜（ｃ）は、本発明の一実施形態に係る笠木カバー部材の一例を模式的に示し、（ａ）は、図２（ｂ）におけるＸ１−Ｘ１線矢視に対応させた一部破断概略縦断面図、（ｂ）は、図２（ｂ）におけるＹ１−Ｙ１線矢視に対応させた一部破断概略横断面図、（ｃ）は、（ｂ）に対応させた一部破断概略横断面図である。
【図２】（ａ）は、同笠木カバー部材の概略分解斜視図、（ｂ）は、同笠木カバー部材の概略斜視図である。
【図３】（ａ）は、同笠木カバー部材を施工した状態の一例を模式的に示す一部破断概略斜視図、（ｂ）、（ｃ）は、同笠木カバー部材の変形例をそれぞれ施工した状態の一例を模式的に示す一部破断概略斜視図である。
【図４】（ａ）〜（ｃ）は、本発明の他の実施形態に係る笠木カバー部材の一例を模式的に示し、（ａ）は、図５（ｂ）におけるＸ２−Ｘ２線矢視に対応させた一部破断概略縦断面図、（ｂ）は、図５（ｂ）におけるＹ２−Ｙ２線矢視に対応させた一部破断概略横断面図、（ｃ）は、（ｂ）に対応させた一部破断概略横断面図である。
【図５】（ａ）は、同笠木カバー部材の概略分解斜視図、（ｂ）は、同笠木カバー部材の概略斜視図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係る笠木カバー部材を施工した状態を基準として上下方向等の方向を説明する。
【００１０】
図１〜図３は、第１実施形態に係る笠木カバー部材の一例及び同笠木カバー部材の変形例を模式的に示す図である。
本実施形態に係る笠木カバー部材１は、図１及び図３（ａ）に示すように、コーナー部に向けてそれぞれに配される笠木３，３の対向側端部４，４を覆うように配される。
笠木３は、壁体２の端部に沿って配される。図３（ａ）では、壁体２の上端面と垂直面状の前端面とのコーナー部に向けてそれぞれに笠木３，３を配した例を示している。つまり、図３（ａ）では、２つの笠木３，３を、互いの見込方向を一致させて壁体２の上端面及び前端面にそれぞれ沿わせて互いに略直交状となるように配した例を示している。
この笠木３は、平板状とされており、厚さ方向一方面としての裏面７を、壁体２の固定対象面としての上端面や前端面に沿わせて配される。また、笠木３は、見込寸法（壁厚方向に沿う寸法）が壁体２の壁厚寸法よりも大きい寸法とされ、見込方向（壁厚方向）両側にいわゆるちり部が形成されるように、壁体２の壁厚方向両側の壁面から見込方向両端部を突出させて壁体２に固定される。
【００１１】
また、コーナー部に向けてそれぞれに配された笠木３，３の互いに対向する対向側端部４，４の対向側端面８，８は、図１（ａ）に示すように、それぞれの表面（厚さ方向他方面）とのなす角が４５度となるように傾斜し、互いに平行状とされた傾斜面とされている。また、これら対向側端面８，８間に、後記する笠木カバー部材１の挿入部１２，１８が挿入される隙間を設けて各笠木３，３を配した構成としている。
なお、壁体２は、階段の壁部や吹き抜けの腰壁部等を構成するものとし、笠木３が手摺を構成するものとしてもよい。
【００１２】
笠木カバー部材１は、上記のようにコーナー部に向けてそれぞれに配される笠木３，３の対向側端部４，４を接続するように設けられ、これらの対向側端面８，８間の隙間長手方向（端面長手方向）に細長状とされている。
この笠木カバー部材１は、笠木３，３の各対向側端部４，４の見込方向（端面長手方向）中央側部位の表面５，５を覆うように配される表面カバー部１１を有した中央側カバー１０を備えている。また、笠木カバー部材１は、この中央側カバー１０の表面カバー部１１を覆うように配される表面カバー部１５，１５をそれぞれに有した一対の端部カバー１４，１４を備えている。また、これら一対の端部カバー１４，１４は、笠木３，３の各対向側端部４，４の見付面６，６を覆うように配される見付面カバー部１６，１６及び笠木３，３の各対向側端部４，４の裏面７，７を覆うように配される裏面カバー部１７，１７をそれぞれに備えている。
【００１３】
また、中央側カバー１０及び一対の端部カバー１４，１４のそれぞれには、笠木３，３の対向側端面８，８間に挿入される挿入部１２，１８が設けられている。また、これら中央側カバー１０の挿入部１２と一対の端部カバー１４，１４の挿入部１８，１８とは、互いに見込方向（端面長手方向）に係合する構造とされている。
また、本実施形態では、中央側カバー１０の挿入部１２及び一対の端部カバー１４，１４の挿入部１８，１８のうちの一方の挿入部１８，１８を、板状とされた他方の挿入部１２を受け入れ可能なように見込方向に開口する係合凹所１９，１９を設けた構造としている。
また、本実施形態では、中央側カバー１０の挿入部１２及び一対の端部カバー１４，１４の挿入部１８，１８に、互いに係合した状態で、互いに係止し見込方向への位置ずれを抑制する係止部１３ａ，１９ａ，１９ａを設けている。
【００１４】
中央側カバー１０は、図１及び図２に示すように、見込方向に細長状とされている。
この中央側カバー１０の表面カバー部１１は、図１（ａ）及び図２に示すように、見込方向に細長状とされ、笠木３，３の対向側端面８，８間の表面側の隙間を覆い、かつ対向側端部４，４の表面５，５を覆うように形成されている。また、この表面カバー部１１は、幅方向（笠木３，３の対向側端面８，８の対向方向に沿う方向）両側端部が両笠木３，３の対向側端部４，４の表面５，５に当接または近接配置される構成とされている。
また、本実施形態では、表面カバー部１１を、水平面状とされた一方の笠木３の表面５と垂直面状とされた他方の笠木３の表面５とを接続するように、表面側に凸の突湾曲状の薄板状としている。
この表面カバー部１１の幅寸法（笠木３，３の対向側端面８，８の対向方向に沿う方向の寸法）は、両笠木３，３の対向側端部４，４の表面５，５を覆い得るように適宜、設定するようにしてもよい。
【００１５】
この中央側カバー１０の挿入部１２は、図１（ａ）に示すように、表面カバー部１１の裏面（笠木３の表面５に対面する側の面）から両笠木３，３の対向側端面８，８間の隙間の深さ方向に沿う方向に向けて突出するように設けられている。この挿入部１２は、表面カバー部１１の幅方向中央部位に設けられている。つまり、表面カバー部１１は、挿入部１２の基端部から幅方向両側に突出するように設けられている。
また、この挿入部１２の上記隙間深さ方向に沿う突出寸法は、両笠木３，３の対向側端面８，８間の隙間の深さ寸法よりも小さい寸法とされている。また、本実施形態では、挿入部１２を、表面カバー部１１の略全長に亘ってその裏面側に設けている。
【００１６】
また、本実施形態では、この中央側カバー１０の挿入部１２を、他方の挿入部としての板状挿入部１２としている。また、本実施形態では、板状挿入部１２を、突出方向に延びる複数の棒状歯部１３を見込方向（隙間長手方向）に沿って並列状に設けた櫛歯状としている。
また、これら複数の棒状歯部１３を、丸棒状（円柱状）とし、隣り合う棒状歯部１３，１３によってこれらの長手方向に延びる凹溝状の係止部としての係止凹部１３ａを形成している。つまり、本実施形態では、両笠木３，３の対向側端面８，８にそれぞれ対向するように配される板状挿入部１２の両面側のそれぞれに、隙間長手方向に間隔を空けて複数の係止凹部１３ａを設けた構成としている。
【００１７】
なお、板状挿入部１２を構成する複数の棒状歯部１３は、複数のそれぞれが隙間長手方向に分断されたものでもよく、または、隙間長手方向に分断されることなく一連状に設けられたものとしてもよい。
また、中央側カバー１０（表面カバー部１１）の見込方向（隙間長手方向）に沿う長さ寸法は、一般的に施工される笠木３のうちの比較的に見込寸法（端面長さ寸法）が小さい寸法とされたものの見込寸法に応じた寸法としてもよい。または、当該中央側カバー１０（表面カバー部１１）の長さ寸法を、比較的に大きい寸法とし、適宜の長さに切断等によって調整可能とされたものとしてもよい。
【００１８】
一対の端部カバー１４，１４は、図１（ｂ）、（ｃ）及び図２に示すように、本実施形態では、隙間長手方向に沿う寸法が中央側カバー１０の隙間長手方向に沿う寸法よりも小さい寸法とされている。なお、これら端部カバー１４，１４は、互いに同様の構成とされているので、以下では、一方の端部カバー１４を例にとって説明する。
この端部カバー１４の表面カバー部１５は、中央側カバー１０の表面カバー部１１の長手方向に長尺状とされ、中央側カバー１０の表面カバー部１１の長手方向いずれか一方端側部位を覆う構成とされている。
この表面カバー部１５は、図１（ａ）に示すように、中央側カバー１０の表面カバー部１１の表面に対面するように配される裏面が、中央側カバー１０の表面カバー部１１の表面に沿うように凹湾曲面状とされている。
【００１９】
また、本実施形態では、表面カバー部１５を、中央側カバー１０の表面カバー部１１と概ね同様、水平面状とされた一方の笠木３の表面５と垂直面状とされた他方の笠木３の表面５とを接続するように、表面側に凸の突湾曲状の薄板状としている。また、この表面カバー部１５の幅寸法は、中央側カバー１０の表面カバー部１１を覆い得るように、この表面カバー部１１の幅寸法よりも大きい寸法とされている。また、この表面カバー部１５は、中央側カバー１０の表面カバー部１１と概ね同様、幅方向両側端部が両笠木３，３の対向側端部４，４の表面５，５に当接または近接配置される構成とされている。
また、この表面カバー部１５の長さ寸法は、中央側カバー１０の表面カバー部１１と少なくとも一部が重ね合わせられた状態で、笠木３，３の対向側端部４，４の表面５，５を覆い得るように適宜の寸法としてもよい。
【００２０】
端部カバー１４の見付面カバー部１６は、表面カバー部１５の隙間長手方向外方側端部から隙間深さ方向に延びるように長尺状とされている。この見付面カバー部１６は、両笠木３，３の対向側端面８，８間の見付面側の隙間を覆い、かつ対向側端部４，４の見付面６，６を覆うように形成されている。また、この見付面カバー部１６は、幅方向（笠木３，３の対向側端面８，８の対向方向に沿う方向）両側端部が両笠木３，３の対向側端部４，４の見付面６，６に当接または近接配置される構成とされている。
また、この見付面カバー部１６は、見付面６，６に対面される側となる裏面が平坦面とされた薄平板状とされている。また、図例では、この見付面カバー部１６の表面の幅方向両端部に幅方向外方側に向かうに従い見付面６，６に向けて下るように傾斜する傾斜面を設けた例を示している。
【００２１】
この見付面カバー部１６の長さ寸法は、上記隙間深さ寸法に応じた寸法とされている。
また、この見付面カバー部１６の反表面カバー部側の端部は、両笠木３，３の対向側端部４，４の裏面７，７に沿う形状となるように、隙間長手方向に見て、略Ｖ字形状とされている。
なお、図例では、この見付面カバー部１６と表面カバー部１５との出隅部を、面取り形状とした例を示している。
【００２２】
端部カバー１４の裏面カバー部１７は、見付面カバー部１６の反表面カバー部側の端部から壁体２の壁面に向けて突出するように設けられている。この裏面カバー部１７は、両笠木３，３の対向側端面８，８間の裏面側の隙間を覆い、かつ対向側端部４，４のいわゆるちり部の裏面７，７を覆うように形成されている。また、この裏面カバー部１７は、幅方向（笠木３，３の対向側端面８，８の対向方向に沿う方向）両側端部が両笠木３，３の対向側端部４，４のちり部の裏面７，７に当接または近接配置される構成とされている。
また、本実施形態では、図１（ａ）に示すように、この裏面カバー部１７を、両笠木３，３の対向側端部４，４の裏面７，７に沿う形状となるように、隙間長手方向に見て、略Ｖ字形状としている。なお、この裏面カバー部１７の各片部の表面の端部に外方側に向かうに従い裏面７，７に向けて下るように傾斜する傾斜面を設けるようにしてもよい。
この裏面カバー部１７の見付面カバー部１６からの突出寸法は、両笠木３，３のちり部の隙間長手方向に沿う寸法に応じた寸法とされている。
【００２３】
端部カバー１４の挿入部１８は、見付面カバー部１６の裏面から隙間長手方向に突出するように設けられている。
本実施形態では、この挿入部１８を、隙間長手方向に開口した係合凹所１９を設けた一方の挿入部１８としている。また、本実施形態では、この挿入部１８を、係合凹所１９を隙間長手方向及び隙間深さ方向両側に開口させるように二股状に形成された二股状挿入部１８としている。この二股状挿入部１８は、隙間幅方向に間隔を空けて設けられ隙間幅方向に厚さ方向を沿わせた二枚の薄板状部によって構成されており、これらの間に中央側カバー１０の隙間幅方向に厚さ方向を沿わせた板状挿入部１２が挟み込まれるように差し入れられる。
【００２４】
この二股状挿入部１８は、中央側カバー１０と組み付けられる際に表面カバー部１１に干渉しないように、見付面カバー部１６の長手方向途中部位の裏面に設けられている。
また、この二股状挿入部１８の隙間長手方向に沿う寸法は、中央側カバー１０の板状挿入部１２との係合性等の観点から適宜、設定するようにしてもよく、図例では、表面カバー部１５の長さ寸法と略同寸法とした例を示している。
また、本実施形態では、この二股状挿入部１８に、図１（ｂ）、（ｃ）に示すように、上記した中央側カバー１０の板状挿入部１２の係止凹部１３ａに係止する係止部としての係止凸部１９ａを設けている。本実施形態では、二股状挿入部１８の両側の薄板状部の互いに対向する内側面側のそれぞれに、互いに対向する方向に向けて突出し、隙間深さ方向に延びるように係止凸部１９ａ，１９ａを設けた構成としている（図１（ａ）参照）。また、これら係止凸部１９ａ，１９ａを、係合凹所１９の両側開口縁となる二股状挿入部１８の両側の薄板状部の先端部に設けた構成としている。
【００２５】
上記構成とされた笠木カバー部材１は、図１（ｂ）、（ｃ）に示すように、両笠木３，３の見込寸法（隙間長手方向に沿う寸法）Ｗ１，Ｗ２が異なるような場合にも、適用が可能となる。図１（ｃ）では、図１（ｂ）に示す両笠木３，３の見込寸法Ｗ１よりも見込寸法Ｗ２を大とした例を示している。このような場合にも、中央側カバー１０の板状挿入部１２と一対の端部カバー１４，１４の二股状挿入部１８，１８との隙間長手方向に沿う係合度合を調整することで、見込寸法Ｗ１，Ｗ２の違いに容易に対応することができる。または、中央側カバー１０の長さ寸法を切断等によって調整することで、見込寸法Ｗ１，Ｗ２の違いに容易に対応することもできる。
【００２６】
なお、中央側カバー１０及び一対の端部カバー１４，１４は、合成樹脂系材料や、木質系材料、金属系材料等から形成されたものとしてもよい。また、中央側カバー１０及び一対の端部カバー１４，１４は、例えば、合成樹脂系材料に、木粉や無機フィラー、相溶化剤、着色剤などを所定の含有割合で含有させた木粉（木質）・プラスチック複合材（ＷＰＣ）から形成されたものとしてもよい。
また、これら中央側カバー１０及び一対の端部カバー１４，１４は、互いの係合及び係止によって固定されるものとしてもよく、また、粘着テープ等の粘着材や接着剤等によって互いに固定されたり、両笠木３，３に固定されるものとしてもよい。
また、これら中央側カバー１０及び一対の端部カバー１４，１４における少なくとも両笠木３，３に取り付けられた状態で露出する表面を、突板や合成樹脂シート等の貼着や、塗装等によって表面化粧処理が施された化粧面としてもよい。
【００２７】
本実施形態に係る笠木カバー部材１は、上述のような構成としたことで、コーナー部に向けてそれぞれに配される笠木３，３の対向側端部４，４を見栄え良く納めることが可能でありながらも、種々の見込寸法Ｗ１，Ｗ２の笠木３，３に適用することができる。また、取付性を向上させることができる。
つまり、コーナー部に向けてそれぞれに配される笠木３，３の対向側端部４，４を覆うように配される構成としている。従って、例えば、笠木の対向側の端面同士を突き合わせて納める態様と比べて、コーナー部に向けてそれぞれに配される笠木３，３の対向側端部４，４を見栄え良く納めることができる。
【００２８】
また、表面カバー部１１を有した中央側カバー１０と、この中央側カバー１０の表面カバー部１１を覆うように配される表面カバー部１５，１５をそれぞれに有した一対の端部カバー１４，１４を備えた構成としている。また、一対の端部カバー１４，１４のそれぞれに、見付面カバー部１６，１６及び裏面カバー部１７，１７を設けた構成としている。従って、中央側カバー１０の表面カバー部１１に対する一対の端部カバー１４，１４の表面カバー部１５，１５の重ね合わせ度合を、見込方向に沿って調整することで、上述のように、種々の見込寸法Ｗ１，Ｗ２の笠木３，３に容易に適用することができる。または、中央側カバー１０を切断等することで、見込寸法を調整することもできる。また、一対の端部カバー１４，１４のそれぞれに、裏面カバー部１７，１７を設けているので、笠木３，３の裏面７，７側から別部材を固定する必要があるようなものと比べて、施工性を向上させることができる。
【００２９】
また、中央側カバー１０及び一対の端部カバー１４，１４のそれぞれに、笠木３，３の対向側端面８，８間に挿入される挿入部１２，１８を設け、かつ、これら挿入部１２，１８を、互いに見込方向に係合する構造としている。従って、互いの挿入部１２，１８を係合させることで、中央側カバー１０と一対の端部カバー１４，１４とを組み付けることができ、取付性を向上させることができる。また、これら挿入部１２，１８同士を互いに係合させ、互いに接着等することで、笠木３，３に対して強固に取り付けることができる。つまり、笠木３，３の表裏を挟むような構成とされた一対の端部カバー１４，１４によって中央側カバー１０の表面カバー部１１を押さえることができ、また、互いの挿入部１２，１８同士を係合させて接着することで、当該笠木カバー部材１を笠木３，３に対して強固に取り付けることができる。
【００３０】
また、本実施形態では、中央側カバー１０及び一対の端部カバー１４，１４の挿入部１２，１８，１８のうちの一方の挿入部１８，１８を、板状とされた他方の挿入部１２を受け入れ可能なように見込方向に開口する係合凹所１９，１９を設けた構造としている。従って、一方の挿入部１８，１８の係合凹所１９，１９に他方の挿入部１２を差し入れることで、中央側カバー１０と一対の端部カバー１４，１４とを組み付けることができる。また、例えば、互いに板状とされた挿入部の向き合う側面同士が当接係合されるようなものと比べて、互いの挿入部の接着面積を効果的に大きくすることができ、取付強度をより向上させることもできる。
【００３１】
また、本実施形態では、中央側カバー１０の挿入部１２及び一対の端部カバー１４，１４の挿入部１８，１８に、互いに係合した状態で、互いに係止し見込方向への位置ずれを抑制する係止部１３ａ，１９ａ，１９ａを設けている。従って、中央側カバー１０の挿入部１２と一対の端部カバー１４，１４の挿入部１８，１８とを互いに係合させた状態における見込方向への位置ずれを抑制することができ、組付強度を向上させることができる。なお、係止部１３ａ，１９ａ，１９ａとしては、上記した例に限られず、種々の変形が可能である。さらには、このような係止部１３ａ，１９ａ，１９ａを、中央側カバー１０の挿入部１２及び一対の端部カバー１４，１４の挿入部１８，１８に設けないようにしてもよい。
【００３２】
なお、上記した例では、笠木カバー部材１を、互いの見込方向を一致させて壁体２の上端面及び前端面にそれぞれ沿わせて互いに略直交状となるように配された両笠木３，３の対向側端部４，４を覆う構成とした例を示しているが、このような態様に限られない。
例えば、図３（ｂ）に示すように、互いの見込方向を一致させて壁体２Ａの傾斜面及び前端面にそれぞれ沿わせて互いに鈍角状の交差状となるように配された両笠木３Ａ，３Ａの対向側端部を覆う笠木カバー部材１Ａとしてもよい。この場合は、中央側カバー１０Ａの表面カバー部や、一対の端部カバー１４Ａ，１４Ａの各カバー部を、適宜、必要に応じて変形するようにしてもよい。
【００３３】
また、例えば、図３（ｃ）に示すように、平面視して交差状（図例では直交状）に形成された壁体２Ｂの上端面にそれぞれ沿わせて互いに交差状（図例では直交状）となるように配された両笠木３Ｂ，３Ｂの対向側端部を覆う笠木カバー部材１Ｂとしてもよい。この場合は、上記同様、中央側カバー１０Ｂの表面カバー部や、一対の端部カバー１４Ｂ，１４Ｃの各カバー部を、適宜、必要に応じて変形するようにしてもよい。また、この場合は、両笠木３Ｂ，３Ｂの出隅側の見付面を覆う端部カバー１４Ｂを、出隅に応じた形状とし、入隅側の見付面を覆う端部カバー１４Ｃを、入隅に応じた形状としてもよい。つまり、一対の端部カバー１４Ｂ，１４Ｃを、互いに異なる構成とされたものとしてもよい。また、この場合は、両笠木３Ｂ，３Ｂの対向側端面の長手方向（隙間長手方向）が笠木３Ｂ，３Ｂ自体の見込方向に対して傾斜状となるが、この隙間長手方向を見込方向として把握するようにしてもよい。
その他、本実施形態に係る笠木カバー部材１を、適宜、必要に応じて変形し、コーナー部に向けてそれぞれに配される種々の配設態様とされた笠木の対向側端部を覆う笠木カバー部材としてもよい。
【００３４】
次に、本発明に係る他の実施形態について、図面を参照しながら説明する。
図４及び図５は、第２実施形態に係る笠木カバー部材の一例を模式的に示す図である。
なお、第１実施形態との相違点について主に説明し、同様の構成については、同一符号を付し、その説明を省略または簡略に説明する。
【００３５】
本実施形態に係る笠木カバー部材１Ｃは、図４及び図５に示すように、中央側カバー１０Ｃ及び一対の端部カバー１４Ｄ，１４Ｄの挿入部１２Ａ，１８Ａ，１８Ａの構成が、上記第１実施形態とは主に異なる。
本実施形態では、中央側カバー１０Ｃの挿入部１２Ａを、見込方向に開口する係合凹所１３Ａを設けた一方の挿入部とし、一対の端部カバー１４Ｄ，１４Ｄの挿入部１８Ａ，１８Ａを、他方の挿入部としての板状挿入部１８Ａ，１８Ａとしている。これら板状挿入部１８Ａ，１８Ａは、隙間幅方向に厚さ方向を沿わせた薄板状とされ、見付面カバー部１６，１６の長手方向途中部位の裏面から互いに向き合う方向（隙間長手方向）に向けて突出するように設けられている。
【００３６】
中央側カバー１０Ｃの挿入部１２Ａは、係合凹所１３Ａを隙間長手方向両側及び隙間深さ方向奥側に開口させるように二股状に形成された二股状挿入部１２Ａとされている。この二股状挿入部１２Ａは、隙間幅方向に間隔を空けて設けられ隙間幅方向に厚さ方向を沿わせた二枚の薄板状部によって構成されており、これらの間に板状挿入部１８Ａ，１８Ａが挟み込まれるように差し入れられる構成とされている。
なお、本実施形態では、これら中央側カバー１０Ｃ及び一対の端部カバー１４Ｄ，１４Ｄの挿入部１２Ａ，１８Ａ，１８Ａに、互いに係合した状態で、互いに係止し見込方向への位置ずれを抑制する係止部を設けていないが、係止部を設けるようにしてもよい。この場合は、例えば、一対の端部カバー１４Ｄ，１４Ｄの板状挿入部１８Ａ，１８Ａの両面側に、上記同様の係止凹部を設け、中央側カバー１０Ｃの二股状挿入部１２Ａの内側面側に、上記同様の係止凸部を設けるようにしてもよい。
【００３７】
上記構成とされた本実施形態に係る笠木カバー部材１Ｃにおいても、上記第１実施形態と概ね同様の効果を奏する。
なお、本実施形態においても、図３（ｂ）、（ｃ）を参照して説明したように、コーナー部に向けてそれぞれに配される種々の配設態様とされた笠木の対向側端部を覆う笠木カバー部材として、種々の変形が可能である。
【００３８】
また、上記各実施形態では、挿入部１２，１２Ａ，１８，１８，１８Ａ，１８Ａのうちの係合凹所１９，１３Ａを設けた一方の挿入部を、二股状挿入部１８，１８，１２Ａとした例を示しているが、このような態様に限られない。係合凹所１９，１３Ａを設けた一方の挿入部としては、見込方向に少なくとも開口するものであればよく、二股状とされたものに限られない。この場合は、板状挿入部１２，１８Ａ，１８Ａを、適宜、必要に応じて変形するようにしてもよい。さらには、見込方向に互いに係合する挿入部としては、このように、挿入部１２，１２Ａ，１８，１８，１８Ａ，１８Ａのうちの一方の挿入部を、板状とされた他方の挿入部を受け入れ可能なように見込方向に開口する係合凹所を設けた構造とした態様に限られない。例えば、互いに板状とされた挿入部の向き合う側面同士が当接係合されるようなもの等としてもよく、その他、種々の変形が可能である。
【符号の説明】
【００３９】
１，１Ａ，１Ｂ，１Ｃ          笠木カバー部材
１０，１０Ａ，１０Ｂ，１０Ｃ  中央側カバー
１１      表面カバー部
１２      板状挿入部（他方の挿入部）
１３ａ    係止凹部（係止部）
１２Ａ    二股状挿入部（一方の挿入部）
１３Ａ    係合凹所
１４，１４Ａ，１４Ｂ，１４Ｃ，１４Ｄ  端部カバー
１５      表面カバー部
１６      見付面カバー部
１７      裏面カバー部
１８      二股状挿入部（一方の挿入部）
１９      係合凹所
１９ａ    係止凸部（係止部）
１８Ａ    板状挿入部（他方の挿入部）
３，３Ａ，３Ｂ  笠木
４              対向側端部
５              表面
６              見付面
７              裏面
８              対向側端面
【図１】
0006315424.tif 000002
【図２】
0006315424.tif 000003
【図３】
0006315424.tif 000004
【図４】
0006315424.tif 000005
【図５】
0006315424.tif 000006